(57)【要約】【課題】災害時にエレベータが非常時の運行中であることを乗客に迅速にかつ容易に知らせることができるエレベータの表示装置を得る。【解決手段】かご操作盤６に設けられ触れることにより行先階の呼びを登録するタッチパネル７と、タッチパネル７に、平常時は階床ボタンを表示させ、火災や地震を感知した際には階床ボタンを消去して非常時の運行中である旨のメッセージを表示させる信号を出力する制御盤１とを備えることで、乗客は非常時であることを容易に認識でき、結果として、乗客の非難を迅速に行うことができる。【選択図】　　　　図１
2004026431.tif 000002
【特許請求の範囲】
【請求項１】
かご操作盤に設けられ触れることにより行先階の呼びを登録するタッチパネルと、
前記タッチパネルに、平常時は階床ボタンを表示させ、火災や地震を感知した際には階床ボタンを消去して非常時の運行中である旨のメッセージを表示させる信号を出力する制御盤と
を備えたエレベータの表示装置。
【請求項２】
請求項１に記載のエレベータの表示装置において、
前記タッチパネルは、タッチスイッチとディスプレイとの二重構造を有する
ことを特徴とするエレベータの表示装置。
【請求項３】
請求項２に記載のエレベータの表示装置において、
前記タッチスイッチは、材質が透明なＰＥＴフィルムの上部電極と下部電極とを貼り合わせてなり、上部電極を指で押すことで該当する行先階の位置が検出され、位置検出信号を前記制御盤へ出力する
ことを特徴とするエレベータの表示装置。
【請求項４】
請求項３に記載のエレベータの表示装置において、
前記ディスプレイは、２個の偏光板の間に旋光性を有する液晶セルを介在させたＬＣＤでなり、前記制御盤による制御に基づいて平常時は階床ボタンを表示させ、火災や地震を感知した際には階床ボタンを消去して非常時の運行中である旨のメッセージを表示させる
ことを特徴とするエレベータの表示装置。
【発明の詳細な説明】
【０００１】
【発明の属する技術分野】
この発明は、かごの操作盤にタッチパネルを設けたエレベータの表示装置に関する。
【０００２】
【従来の技術】
従来、エレベータのかごの袖壁にはかご操作盤が設けられており、このかご操作盤には一階から最上階までの行先階ボタンが取り付けられている。乗客はある階床からかごに乗ると、行先階ボタンの中から自分の行きたい階床のボタンを押して、行先階の呼びを登録している。そして、エレベータは登録された行先階に止まる。しかし、エレベータが運行している時に火災や地震を感知した場合は、登録された行先階には止まらず最寄りの階床に止まる場合がある。
【０００３】
【発明が解決しようとする課題】
しかしながら、このような非常運転時に、かご内に個別の表示装置を設けていないエレベータにおいては、非常時の運行中であることを乗客に知らせることができなかった。このため、最寄り階に止まっても乗客がエレベータから降りればよいのか否かを判断することができないという問題があった。
【０００４】
このような問題を解消するために、非常時の運行中であることを乗客に知らせるための表示装置を設けたものが提案されている。図４は、従来のエレベータの表示装置を示すブロック図である。図４に示す構成では、かご操作盤２０とは別に表示装置２１を設けて、制御盤１により、通常時はスイッチ制御部２２を介してかご操作盤２０の行先階ボタンを表示するとともに、煙感知器２や揺れ感知器３の感知信号に基づいて火災や地震を感知した場合は、ディスプレイ制御部２３を介して表示装置２１に非常時運転であることを表示するようになされている。
【０００５】
しかしながら、この従来例において、表示装置２１は、かご内壁面上方に設けられていたので、乗客には認識困難であり、非常時の運行中であることを乗客に適切に知らせることができなかった。
【０００６】
この発明は上述した点に鑑みてなされたもので、災害時にエレベータが非常時の運行中であることを乗客に迅速にかつ容易に知らせることができるエレベータの表示装置を得ることを目的とする。
【０００７】
【課題を解決するための手段】
上記目的を達成するために、この発明に係るエレベータの表示装置は、かご操作盤に設けられ触れることにより行先階の呼びを登録するタッチパネルと、前記タッチパネルに、平常時は階床ボタンを表示させ、火災や地震を感知した際には階床ボタンを消去して非常時の運行中である旨のメッセージを表示させる信号を出力する制御盤とを備えたものである。
【０００８】
また、前記タッチパネルは、タッチスイッチとディスプレイとの二重構造を有することを特徴とするものである。
【０００９】
また、前記タッチスイッチは、材質が透明なＰＥＴフィルムの上部電極と下部電極とを貼り合わせてなり、上部電極を指で押すことで該当する行先階の位置が検出され、位置検出信号を前記制御盤へ出力することを特徴とするものである。
【００１０】
さらに、前記ディスプレイは、２個の偏光板の間に旋光性を有する液晶セルを介在させたＬＣＤでなり、前記制御盤による制御に基づいて平常時は階床ボタンを表示させ、火災や地震を感知した際には階床ボタンを消去して非常時の運行中である旨のメッセージを表示させることを特徴とするものである。
【００１１】
【発明の実施の形態】
以下、この発明の実施の形態を図面に基づいて説明する。図１ないし図２は、この発明の実施の形態に係るエレベータの表示装置の構成を示すブロック図である。図１において、１はエレベータの速度制卸や運転管理制御等を行うための制御盤であり、この制御盤１は、昇降路の上方における機械室に設けられている。２は煙感知器、３は揺れ感知器、７は行先階の呼びを登録するための（従来の行先階ボタンに相当する）タッチパネルを示す。
【００１２】
図２に示すように、かご４の袖壁５には、エレベータの運転のために必要なかご操作盤６が設けられている。かご操作盤６には、上記タッチパネル７が取り付けられ、他には開閉ボタン、インターホンボタン、方向灯等が取り付けられている。
【００１３】
ここで、タッチパネル７は、図１に示すように、タッチスイッチ８とディスプレイ９との二重構造となっている。タッチスイッチ８は、材質が透明なＰＥＴフィルムの上部電極と下部電極とを貼り合わせたものであり、上部電極を指で押すと、この位置が検出され、位置検出信号がタッチスイッチ制御部８ａから制御盤１へ出力される。また、タッチスイッチ８には、階床に応じた個数の枠１０が縦方向に設けられている（たとえば、１０階床であれば枠１０は１０個である）。
【００１４】
ディスプレイ９は、ＬＣＤが用いられており、このＬＣＤは、２個の偏光板の間に旋光性を有する液晶セルを介在させている。このＬＣＤは、電界を印加すると前記旋光性が消失するという現象を利用して、光の明暗に変えているものである。ディスプレイ９は、前記枠１０に相応した個所１１に階床の数字が位置している（通常はこの数字は表示されていない）。ディスブレイ制御部９ａの指示に基づいて電界を印加すると、各階の数字が表示される。
【００１５】
エレベータ運行中に火災や地震が発生した場合を、図３に示すフローチャートを参照しながら説明する。火災が発生すると、煙感知器２から信号を制御盤１が受信し（ステップＳ１）、地震が発生すると、揺れ感知器３から信号を制御盤１が受信する（ステップＳ２）。
【００１６】
制御盤１は、煙または揺れを感知すると、タッチスイッチ制御部８ａにスイッチを無効にする信号を出力する。また、ディスブレイ制御部９ａに「エレベータが非常時の運行中であり、最寄り階に停止する」というメッセージを表示させる信号を出力することにより、各階の数字表示がメッセージ表示に切り替わる（ステップＳ３）。
【００１７】
エレベータが最寄り階に停止すると（ステップＳ４）、制御盤１からディスブレイ制御部９ａに信号が出力されて乗客がかごから速やかに出ることを促す、例えば「非常時です。避難してください。」というメッセージを表示する（ステップＳ５）。煙及び揺れを感知していないときは、各階の数字を表示する（ステップＳ６）。
【００１８】
【発明の効果】
以上のように、この発明によれば、火災または地震が発生した際に、行先階の表示から、非常時の遅行中であることを示す表示に切替えるようにしたので、乗客は非常時であることを容易に認識でき、結果として、乗客の非難を迅速に行うことができる。
【図面の簡単な説明】
【図１】この発明の実施の形態に係るエレベータの表示装置の構成を示すブロック図である。
【図２】この発明の実施の形態に係るもので、かご操作盤周囲の構成示す図である。
【図３】この発明の実施の形態に係るもので、かご制御盤の制御動作を示すフローチャートである。
【図４】従来のエレベータの表示装置を示すブロック図である。
【符号の説明】
１　制御盤、２　煙感知器、３　揺れ感知器、４　かご、６　かご操作盤、７タッチパネル、８　タッチスイッチ、９　ディスプレイ、８ａ　タッチスイッチ制御部、９ａ　ディスブレイ制御部。
【図１】
2004026431.tif 000003
【図２】
2004026431.tif 000004
【図３】
2004026431.tif 000005
【図４】
2004026431.tif 000006